(57)【要約】      （修正有）【課題】効率的に一様に点滴灌水できる壁面用植栽基盤を提供する。【解決手段】粒状の軽石とポルトランドセメントと水とを混練した状態の生コンクリートを板状に固め、表面に対して斜め上向きに開口する植込孔２を、灌水の流下方向には重ならないように３つ形成して植栽パネル１とする。複数の植栽パネル１を保持枠３で支持して壁面を形成する。保持枠３の頂部に点滴型の散水管４と拡散布を設ける。合成樹脂製の育苗ポットで育てた花卉６を育苗ポットから抜き出して、各植込孔２に挿し込む。散水管４から点滴灌水して、拡散布で水を一様に拡げて、植栽パネル１を潤す。透水性の植栽パネル１を水が伝わって、最下列の植栽パネル１まで十分に灌水される。このようにして最少の水で、花卉６の根が透水性軽石コンクリートの植栽パネル１に活着するので、壁面植栽に効率的に灌水できる。【選択図】図１
0003200590.tif 000002
【実用新案登録請求の範囲】
【請求項１】
表面に対して斜めに開口した植込孔を灌水の流下方向には重ならないように複数個形成した透水性コンクリート製の矩形の植栽パネルと、前記植栽パネルを支持して壁面を形成する保持枠と、前記保持枠の上部に設置された点滴型の散水管と、前記散水管から滴下された水滴を一様に拡げて前記植栽パネルを潤す拡散布とを具備することを特徴とする壁面用植栽基盤。
【考案の詳細な説明】
【技術分野】
【０００１】
本考案は、壁面用植栽基盤に関するものであり、特に、効率的に点滴灌水できる低コストの壁面用植栽基盤に関するものである。
【背景技術】
【０００２】
従来、建物の壁面などに植物を植えて壁面を緑化する壁面緑化技術がある。ビルの外壁や、崖の擁壁や、フェンスなどを緑化することで、壁面の景観を向上でき、太陽光線の照り返しを暖和し、植物による断熱効果で温度調整ができる。建物の壁面に植物を植え付ける最も一般的な方法は、壁面に所定の間隔で多数の植木鉢を固定して植物を植え付け方法である。簡単な壁面緑化システムとしては、壁面緑化ネットを屋上から吊り下げる吊下げ型壁面緑化ユニットや、植栽ユニットをワイヤーで昇降させる壁面緑化装置等がある。例えば、プラスチック素材からなる基板にポケットを設け、このポケットにポット栽培された植物を設置する方法がある。ポケットに傾斜が設けられ、植物は地面に対してやや斜め上方向に生育するようになっている。
【０００３】
壁面板に土壌を充填したポケットを設け、その底部に排水孔を設けた壁面材もある。裏面に保水吸水手段が有る植栽パネルにポケットを設けて、ポケット内の植物を保水吸水手段により育成する壁面緑化方法もある。椰子殻繊維などのシートと金属ネットを組み合わせたマットを壁面に直接貼付し、蔓性植物や付着根タイプの植物を植生させる方法もある。また、ハンガーバスケットタイプの吊下構造の鉢に植物を植え、既存の手すりなどに鉢を吊り下げる方法もある。または、複数の植栽ユニットを水平に保持して上下方向に所定の間隔を空けて吊り下げ、屋上の昇降装置でワイヤーを繰り出したり巻き取ったりして、植栽ユニットを建築物の壁面に沿って昇降させる。この方法では植栽ユニットの設置や撤去が容易にできる。
【０００４】
壁面や法面に草花などを植えるための手段として、壁面植栽基盤が用いられている。壁面緑化のための基盤としては、培地部分となるブロック型の基盤がある。植物を植える苗床を枠材で支持してユニット化した緑化用ユニットを、建物の壁面に固定するものもある。この植栽基盤と植物とを収容するユニットは、格子状に区画されている。また、壁面緑化専用の植栽済み緑化パネルを用いて、壁面を短時間で緑化する立体基盤式壁面緑化法がある。吸水機能と保水機能が有る詰物を中空部に充填したパネルもある。これは給水や施肥を高効率で行えるもので、容器の上側に植栽部があり、下側に貯水部が設けられている。貯水部の下部から植栽部の上部にまで連続する吸水材が設けられている。吸水材が貯水部の水を吸い上げて、植栽部の土に万遍なく給水して植物を生育させる。また、壁面にフェルトや不織布からなる基盤を配置して、この中に植物の苗を植え込むことで、垂直な壁面の緑化を行う方法もある。これは、地盤を垂直にして植物を生育するにあたり、保水給水を十分に確保するために、垂直の面を各層毎に水平に区画をして、土を収納する容器を設けて植栽するものであり、保水性の繊維シートを用い、給水機構も備えている。
【０００５】
壁面緑化の施工法としては、基盤にあらかじめ植物を植えつけたものを現場に設置する方法や、培地を設置して現場で植物を植えつける方法がある。例えば、パーライトやバーミキュライトのように軽量多孔質であって、保水性と通気性と保肥性に優れた岩石や土壌を土壌基材として用いる。これらの土壌基材をバインダーで固めて所定形状の苗床を形成する。苗床に蔦や蔓等の植物を育成させたものを、枠材を介して建造物の壁面に取り付ける。または、建物の外壁にアンカーを打設してボルトを取り付け、保水力の大きい壁面緑化パネルをナットで壁面に固定する。
【０００６】
植物の育成のためには、人工的に灌水する必要がある。壁面緑化植物への灌水方法としては、灌水パイプを苗床の上面に載置し、灌水パイプから水が苗床に供給されるようにする方法がある。また、壁面フレーム内に土壌と灌水装置を入れ、壁面に植物を植えるものがある。雨水を貯水槽に溜めて、これを外壁面に取り付けたプランターに供給する壁面緑化プランターの灌水方法もある。均一に灌水する方法としては、毛細管現象を利用した灌水手段によりプランターに灌水することにより、均一に分散した灌水ができる緑化システムがある。また、水量を少なくする方法としては、多数の小孔が穿設された灌水管を、植栽基盤と植物とを収容するユニットに対して水平に配置し、その灌水管の小孔から植栽基盤や植物に水を直接散布する方法がある。灌水管には、多数の点滴孔が設けられており、この点滴孔から灌水が保水マットに滴り落ちる。
【０００７】
植物の状態を良好に維持するためには、曇天日には灌水を少なくし、晴天日には灌水を多くするといった水量の管理や、植物に応じた追肥の管理が必要になる。土壌に乾湿計や温度計を設置して測定値を電気的な信号に変換し、これらのデータをコンピュータに入力し、コンピュータ制御で給水する方法もある。以下に、壁面緑化に関する従来技術の例をいくつか示す。
【０００８】
特許文献１に開示された「立体花壇形成用基枠」は、装飾や宣伝広告のために、球形花壇や壁状花壇等の立体花壇を容易に形成できるものである。図８（ａ）に示すように、立体花壇形成用基枠本体の基板面に、複数の嵌挿孔を貫通させる。各嵌挿孔から基板の内面側に筒状体を入れて、嵌挿孔の周縁部に筒状体を取り付ける。筒状体の周りには通水孔がある。基板の内面側の各筒状体間に、水苔やスポンジなどの保水性物質を充填する。
【０００９】
特許文献２に開示された「法面の緑化構造」は、崩落を生じ易い法面であっても、円滑かつ確実に緑化できるようにしたものである。図８（ｂ）に示すように、木毛チップをセメントで固めることによって、基礎植生基材を形成する。緑化すべき法面上に全面に亘って、基礎植生基材を敷設する。この基礎植生基材上に、複数個の客土充填用植生基材を併設して固定する。客土充填用植生基材も、木毛チップをセメントで固めることによって形成されている。さらに、客土を充填する客土充填孔が、上下面間に亘って貫通している。崩れ易い法面の全面に基礎植生基材を敷設することによって、法面を補強して法面の崩落を防止できる。こうして、法面の緑化を確実に行うことができる。
【００１０】
特許文献３に開示された「多孔質成形体」は、軽くて植物栽培の水と肥料を節約できるものである。図８（ｃ）に示すように、ガラス製品を粉砕した粒状のガラス材に発泡剤を加える。これらを粉砕することで、粉状のガラス材と発泡剤から成る粉状ガラス類を生成する。粉状ガラス類に粒状のゼオライトを混合して、混合物を生成する。ガラス材と発泡剤とゼオライトとの混合物を焼成し冷却して、多孔質成形体を得る。
【００１１】
特許文献４に開示された「ユニット式基盤」は、建物などの壁面に植物を植え込むための基盤であり、植え付けと交換の作業の時間と手間が簡略化できる。図８（ｄ）に示すように、プラスチック素材からなる基盤板に、複数の筒状の植物を入れるためのポケットを設ける。筒状のポケットには、傾斜を設ける。筒状ポケット後部に、排水させるための網目からなる排水孔を設ける。
【００１２】
特許文献５に開示された「壁面用植栽基盤」は、廉価で嵩張らず、簡単に壁面に取り付けでき、植栽ポットから土壌が零れ落ちないようにしたものである。図８（ｅ）に示すように、壁面用植栽基盤は、受皿とトレーとホルダーと押え蓋とから成る。受皿は、周囲に周枠が有る。トレーには、受皿に収容する裁頭円錐形の植栽ポットが形成されている。ホルダーには、トレーに付設した状態で植栽ポットと同径かつ位置を合わせて突出する一部開口形のポケットが設けられている。押え蓋には、ポケットを外方へ突出させる開放窓と、ポケットの周囲を押える押え桟とが有る。ホルダーのポケットを、トレーの植栽ポットから外方へ突出した状態にして、押え蓋の側枠を受皿の周枠に嵌合させる。この状態で壁面に取り付けて、夫々のポケットと植栽ポットとで形成される連続室に植物を植える。
【００１３】
特許文献６に開示された「壁面緑化パネル」は、水が飛散せず排水処理も不要な室内緑化に適した壁面緑化パネルである。構造が簡易で低コストで取り扱いも著しく容易である。図９に示すように、土壌等の植栽基盤と植物とを収容する収容室がある。植物を外部に露出するように、開口部がパネル本体の正面側に形成されている。パネル本体の背面側には給水タンクがある。導水シートで、給水タンク内の水を毛細管現象によってパネル本体の収容室へ供給する。導水シートの一端は、給水タンク内の水に浸漬されている。導水シートの他端は、パネル本体の収容室につながっている。
【先行技術文献】
【特許文献】
【００１４】
【特許文献１】実開昭63-187827号公報
【特許文献２】特開2002-054143号公報
【特許文献３】特開2004-323305号公報
【特許文献４】特開2006-020621号公報
【特許文献５】特開2007-104986号公報
【特許文献６】特開2010-017161号公報
【考案の概要】
【考案が解決しようとする課題】
【００１５】
しかし、従来の壁面用植栽基盤には、以下のような問題がある。灌水設備がないものでは、水やりの手間がかかる。灌水設備があるものでも、水を一様に行き渡らせることが困難で、水の無駄が多い。水を節約できる点滴灌水設備でも、植栽パネルに一様に給水できないので、草花の株の位置によっては給水量に過不足がでたり、水が無駄になったりすることがある。
【００１６】
本考案の目的は、上記の課題を解決して、壁面用植栽基盤に効率的に一様に点滴灌水できるようにすることである。本考案の他の目的は、壁面用植栽基盤の製造コストを一層低減することである。
【課題を解決するための手段】
【００１７】
上記の課題を解決するために、本考案では、壁面用植栽基盤を、表面に対して斜めに開口した植込孔を灌水の流下方向には重ならないように複数個形成した透水性コンクリート製の矩形の植栽パネルと、植栽パネルを支持して壁面を形成する保持枠と、保持枠の上部に設置された点滴型の散水管と、散水管から滴下された水滴を一様に拡げて植栽パネルを潤す拡散布とを具備する構成とした。
【考案の効果】
【００１８】
上記のように構成したことにより、拡散布により植栽パネルに効率的に一様に点滴灌水できるし、散水管を少なくできるので壁面用植栽基盤の製造コストも低減できる。
【図面の簡単な説明】
【００１９】
【図１】本考案の実施例における壁面用植栽基盤の概念図である。
【図２】本考案の実施例における壁面用植栽基盤の植栽パネルの斜視図である。
【図３】本考案の実施例における壁面用植栽基盤の植栽パネルの正面図と断面図である。
【図４】本考案の実施例における壁面用植栽基盤の植栽パネルの植栽状態の正面図と断面図である。
【図５】本考案の実施例における壁面用植栽基盤の点滴灌水機構の概念図である。
【図６】本考案の実施例における壁面用植栽基盤の変形例の概念図である。
【図７】本考案の壁面用植栽基盤の別の変形例の概念図である。
【図８】従来の壁面用植栽基盤の概念図である。
【図９】従来の壁面用植栽基盤の概念図である。
【考案を実施するための形態】
【００２０】
以下、本考案を実施するための最良の形態について、図１〜図７を参照しながら詳細に説明する。
【実施例】
【００２１】
本考案の実施例は、表面に対して斜め上向きに開口した植込孔を灌水の流下方向には重ならないように３つ形成した透水性コンクリート製の矩形の植栽パネルを、保持枠で複数枚支持して壁面を形成し、保持枠の上部に点滴型の散水管を設置し、散水管から滴下された水滴を、拡散布で一様に拡げて植栽パネルを潤すようにした壁面用植栽基盤である。
【００２２】
図１に、本考案の壁面用植栽基盤を示す。図２と図３に、植栽パネルを示す。図４に、植栽パネルの植栽状態を示す。図５に、点滴灌水機構を示す。図６に、壁面用植栽基盤の変形例を示す。図７に、壁面用植栽基盤の別の変形例を示す。図１〜図７において、植栽パネル１は、表面に対して斜めに開口した植物を植えるための植込孔を灌水の流下方向には重ならないように複数個形成した透水性コンクリート製の矩形の透水性パネルである。植込孔２は、植物を植えるための斜めの孔である。保持枠３は、植栽パネルを支持するための枠である。散水管４は、点滴灌水するための給水管である。拡散布５は、水滴を水平に一様に拡散するための布である。花卉６は、草花や灌木などの植物である。給水管７は、散水管に水道などから給水するためのパイプである。培養土８は、植物を植えるための土である。調節弁９は、給水量を調節するバルブである。
【００２３】
上記のように構成された本考案の実施例における壁面用植栽基盤の機能を説明する。最初に、図１を参照しながら、壁面用植栽基盤の構成の概要を説明する。粒状の軽石とポルトランドセメントと水とを混練した状態の生コンクリートを板状に固めて、透水性の矩形の植栽パネル１を形成する。その際、表面に斜め上向きに開口した複数の植込孔２を、灌水の流下方向には重ならないように形成する。複数の植栽パネル１を保持枠３で支持させて壁面を形成する。保持枠３は、軽量で強度があり低コストであれば、金属でも木材でもプラスチックでもよい。保持枠３の頂部に点滴型の散水管４を設けて、給水管７に接続する。給水元は、上水道でも工業用水でも地下水でも雨水でもよく、必要に応じてタンクやポンプを設ける。散水管４の直下の植栽パネルの上に拡散布を設ける。なお、図１では拡散布の図示を省略してある。
【００２４】
合成樹脂製の育苗ポットで育てた花卉６を育苗ポットから抜き出して、各植込孔２に挿し込む。散水管４から点滴灌水して、拡散布で水を一様に拡げて、植栽パネル１を潤す。給水量は、調節弁９で調節する。透水性の植栽パネル１を水が伝わって、最下列の植栽パネル１まで十分に灌水される。このようにして最少の水で、花卉６の根が軽石の植栽パネル１に活着するので、壁面植栽に効率的に灌水できる。図１（ｂ）は、図１（ａ）と比較して、植込孔２の粗密の差が少なくなるように配置したものである。縦方向の密度は同じであるが、横方向の密度が異なっている。この壁面用植栽基盤は、建物の壁などのほぼ垂直の壁面に保持枠３を固定して設置するのが最適であるが、やや斜めの壁などに設置することも可能である。その場合には、植栽パネル１の継ぎ目で水がこぼれないように、適宜導水手段を設けるとよい。
【００２５】
次に、図２を参照しながら、壁面用植栽基盤の植栽パネルの構成を具体的に説明する。軽石とポルトランドセメントと水とを混練した生コンクリートを板状に固めて、保水性・透水性コンクリート・ブロックの植栽パネル１を作る。粒度３〜２０mmの軽石５０〜６２重量％と、ポルトランドセメント５０〜３８重量％とする。全体の重量を１００％とした配合物に対して、水４０〜５０重量％を散布して混練する。この生コンクリートを型枠に入れて、厚さ６ｃｍ、１辺の長さが４０〜４５ｃｍ程度の矩形の板状に固める。保水性・透水性コンクリート・ブロックの製法はこれに限らないので、周知のポーラスコンクリート製法のいずれかを適宜選択すればよい。なお、この植栽パネル１の大きさは、１人で持ち運びが容易な重量（約５kg）に定めたものであるが、大きさと重量は、使用目的に応じて適当に設定すればよい。
【００２６】
軽石のコンクリート・ブロックに３つの植込孔２をあけるように、型枠を形成してコンクリートを固める。例えば、上の左右に２つの植込孔２をあけ、下の中央に１つの植込孔２をあける。こうすることにより、各植込孔２に水が均等に行き渡る。植込孔２の直下に別の植込孔２を設けると、下の植込孔２に灌水が流れ込まなくなるので、植込孔２の上下間隔は、なるべく空けた方がよい。また、２つの植栽パネル１を重ねた場合にも、上側の植栽パネル１の最下位の植込孔２の直下に、下側の植栽パネル１の最上位の植込孔２が来ないようにする必要もある。したがって、植込孔２を植栽パネル１の全体に散らすように配置するのがよい。
【００２７】
次に、図３を参照しながら、植栽パネルの断面について説明する。図３（ｂ）は、図３（ａ）のＡ-Ａ断面図である。図３（ｃ）は、図３（ａ）のＢ-Ｂ断面図である。断面図に示すように、透水性コンクリート製の矩形の植栽パネルに、表面に対して斜めに開口した植込孔を灌水の流下方向には重ならないように複数個形成する。植込孔２は斜め上向きに開口している。これは、培養土が植栽パネル１の前側から落ちないようにするためである。培養土が植栽パネル１の後ろ側から落ちないようにするためには、網状のシートまたは合成樹脂繊維製不織布で培養土を包んで植込孔２に差し込む。
【００２８】
次に、図４を参照しながら、植栽パネルに花卉を植えた状態を説明する。図４（ｂ）は、図４（ａ）のＡ-Ａ断面図である。図４（ｃ）は、図４（ａ）のＢ-Ｂ断面図である。合成樹脂製の育苗ポットで育てた花卉６を育苗ポットから抜き出して、網状のシートで包んで、各植込孔２に挿し込む。網状のシートは、植込孔から培養土がこぼれないようにするためである。植込孔の後ろを板状か網状のものでふさいでもよいがコストがかかる。
【００２９】
次に、図５を参照しながら、壁面用植栽基盤の点滴灌水機構の構成を具体的に説明する。図５（ａ）は正面図、図５（ｂ）は断面図である。保持枠３の上縁に沿って、多数の点滴孔をもつ散水管４を配管する。この散水管４で拡散布５を介して植栽パネル１に給水する。合成樹脂繊維製不織布の帯やフェルトなどを拡散布５として利用して、軽石のコンクリート・ブロックの植栽パネル１の上に敷く。拡散布５の毛細管現象によって、点滴の水が拡散布５に一様に染みわたる。拡散布５の水は、透水性の植栽パネル１に一様に浸透する。植栽パネル１中を流下する水は、培養土に染み込み、植物を育成する。必要に応じて液体肥料を灌水に混ぜてもよい。
【００３０】
上側の植栽パネル１の下に下側の植栽パネル１を直接あるいは拡散布などを介して配置する。上側の植栽パネル１から下側の植栽パネル１に水が流れて、すべての花卉に水が行き渡る。過剰な水があると、最下段の植栽パネル１の下面から落下するので、ここから水が落ちない程度に給水量を調節弁９で調節する。多少は水が余ってあふれるので、適宜排水手段を設けておく。排水を給水側に還流させてもよい。排水量に応じて給水量を調節弁９で調節する自動調節装置を設けてもよい。このようにして、植栽パネル１に各種の植物を植え込むと、通気性が高いので根の張りがよく、根が植栽パネル１の中まで伸びて、植物の生育が促進される。拡散布５を採用することにより、少ない散水管４で容易に一様に灌水できるので、低コストになる。
【００３１】
次に、図６を参照しながら、壁面用植栽基盤の変形例を説明する。この例では、散水管４を植栽パネル１の２段ごとに設ける。なお、図６では拡散布の図示を省略してある。植栽パネル１を４段以上に重ねて１つの散水管４で灌水すると、最上段と最下段の灌水量の差が大きくなり、植物の生長に差が出る。それを避けるために、植栽パネル１の２段ごとに散水管４を設ける。散水管４ごとに調節弁９を設けて、それぞれの給水量を細かく調整する。縦方向に重なる花卉６は２つであるので、下側の花卉６にも上側の花卉６とほぼ同程度の水が供給される。横方向の花卉６の重なりもほぼ一様であるので、見た目もよい。
【００３２】
次に、図７を参照しながら、壁面用植栽基盤の別の変形例を説明する。植栽パネル１として、５個の植込孔２があるものを使用する。５個の植込孔２は、縦方向にも横方向にも重ならないように配置する。このようにすることにより、すべての花卉６にむらなく灌水できるし、花卉６も平均的に広がって植えられるので見栄えもよくなる。散水管４は、植栽パネル１の１段ごとに設ける。散水管４ごとに調節弁９を設けて、それぞれの給水量を細かく調整する。なお、図７では拡散布の図示を省略してある。植栽パネル１に５株の花卉を植え付けると、水の消費が多くなるので、散水管４を多く設けて、灌水量の偏りが少なくなるようにする。条件によっては、３つの植込孔２の植栽パネル１と５つの植込孔２の植栽パネル１を混合して用いてもよい。
【００３３】
上記のように、本考案では、壁面用植栽基盤を、表面に対して斜め上向きに開口した植込孔を灌水の流下方向には重ならないように３つ形成した透水性コンクリート製の矩形の植栽パネルを、保持枠で複数枚支持して壁面を形成し、保持枠の上部に点滴型の散水管を設置し、散水管から滴下された水滴を、拡散布で一様に拡げて植栽パネルを潤すようにしたので、効率的に点滴灌水できる。
【産業上の利用可能性】
【００３４】
本考案の壁面用植栽基盤は、ビルや塀などの壁面緑化用の植栽基盤として最適である。また、室内や催事場などの装飾用の植栽基盤としても好適である。
【符号の説明】
【００３５】
１  植栽パネル
２  植込孔
３  保持枠
４  散水管
５  拡散布
６  花卉
７  給水管
８  培養土
９  調節弁
【図１】
0003200590.tif 000003
【図２】
0003200590.tif 000004
【図３】
0003200590.tif 000005
【図４】
0003200590.tif 000006
【図５】
0003200590.tif 000007
【図６】
0003200590.tif 000008
【図７】
0003200590.tif 000009
【図８】
0003200590.tif 000010
【図９】
0003200590.tif 000011